(57)【要約】収容スペースが３次元型カバーを通して形成され、固定サポータが３次元型カバーのエッジに挿入されて、マスクが装着者の鼻及び口に密着することにより容易に汚染されないようにし、それにより、風や物理的な接触等の比較的小さな力が及ぼされても３次元型カバーの外向き形状を維持することができるマスクが開示される。固定サポータを有するマスクは、装着者の鼻及び口を挿入するための所定サイズの貫通部を中央に有する本体と、本体に結合され、貫通部から所定の距離だけ隔てられた３次元型カバーであって、貫通部内に挿入された装着者の鼻及び口が包まれるように３次元型カバーの下部に形成される、外部と間接的に通気するための開口部を有する３次元型カバーと、本体の両端部に結合される、マスクを装着者の耳に装着するための耳掛けと、装着者の鼻及び口が前記３次元型カバーの内側に密着しないように、３次元型カバーの周囲にある縫合部に沿って挿入される固定サポータとを含む。【選択図】なし【特許請求の範囲】
【請求項１】
固定サポータを有するマスクであって、
装着者の鼻及び口を挿入するための所定サイズの貫通部１１を中央に有する本体１０と、
該本体１０に結合され、前記貫通部１１から所定の距離だけ隔てられた３次元型カバー２０であって、前記貫通部内に挿入された前記装着者の鼻及び口が包まれるように前記３次元型カバー２０の下部に形成される、外部と間接的に通気するための開口部２２を有する３次元型カバー２０と、
前記本体１０の両端部に結合される、該マスク１００を装着者の耳に装着するための耳掛け３０と、
装着者の鼻及び口が前記３次元型カバーの内側に密着しないように、前記３次元型カバー２０の周囲にある縫合部に沿って挿入される固定サポータ４０と
を備える、固定サポータを有するマスク。
【請求項２】
前記固定サポータ４０は、前記３次元型カバー２０の下端部及びサイドに対応するように「Ｕ」形の形である、請求項１に記載の固定サポータを有するマスク。
【請求項３】
前記本体１０の上端部に挿入される前記固定サポータ４０は、鼻筋に対応して密着するように「−」形の形である、請求項１に記載の固定サポータを有するマスク。
【請求項４】
前記３次元型カバー２０は、正面に向かって突出するようにそのサイドの縫合部に沿って縫合される複数の折り畳み部２１をさらに備える、請求項１に記載の固定サポータを有するマスク。
【請求項５】
前記固定サポータ４０は、非鉄金属で作られるコア４１及び該コア４１にコーティングされるシリコン４２を含む、請求項１又は２に記載の固定サポータを有するマスク。
【請求項６】
前記固定サポータ４０は、非鉄金属で作られる円形コア４１及び該コア４１にコーティングされ、その接触エリアを増大させる接触ウィングを有する棒形のシリコン４２を含む、請求項１又は２に記載の固定サポータを有するマスク。
【請求項７】
前記貫通部１１の幅は、装着者の鼻及び口を内部に挿入するように、その上部から下部に向かって徐々に広がる、請求項１に記載の固定サポータを有するマスク。
【発明の詳細な説明】
【技術分野】
【０００１】
本発明は、収容スペースが３次元型カバーを通して形成され、固定サポータが３次元型カバーのエッジに挿入されて、マスクが装着者の鼻及び口に密着することにより容易に汚染されないようにし、それにより、風や物理的な接触等の比較的小さな力が及ぼされても３次元型カバーの外向き形状を維持することができるマスクに関し、特に、固定サポータを有するマスクであって、装着者の鼻及び口を挿入するための所定サイズの貫通部を中央に有する本体と、本体に結合され、貫通部から所定の距離だけ隔てられた３次元型カバーであって、貫通部内に挿入された装着者の鼻及び口が包まれるように３次元型カバーの下部に形成される、外部と間接的に通気するための開口部を有する３次元型カバーと、本体の両端部に結合される、マスクを装着者の耳に装着するための耳掛けと、装着者の鼻及び口が前記３次元型カバーの内側に密着しないように、３次元型カバーの周囲にある縫合部に沿って挿入される固定サポータとを含む、固定サポータを有するマスクに関する。
【背景技術】
【０００２】
一般に、マスクは主に、その用途に従って冬用マスクと、粉塵又は砂埃保護用のマスクに分けられる。
【０００３】
マスクは、装着者が鼻及び口の場所に配置された通気開口を通してスムーズに呼吸することができるように、鼻及び口を挿入して呼吸するための貫通中央部及び本体の前部に取り付けられるフロントカバーを有する本体を含む。
【０００４】
しかし、鼻及び口は一般に外側に突出しているため、装着するにあたって不都合である。また、鼻及び口がマスクに密着するために、呼吸に不都合である。
【０００５】
この問題を解決するために、正面に向かって突出するようにサイドの縫合部に沿って縫合された複数の折り畳み部及び貫通部内に挿入された装着者の鼻及び口が包まれるようにその下部に形成された、外部と間接的に通気するための開口部を含むマスクが提供される。したがって、鼻及び口とそれらを覆っているマスクとの間にスペースが形成され、それにより、呼吸及び装着の不都合さが解消される。
【０００６】
しかし、改良されたマスクの場合、風や物理的な接触等の比較的小さな力がマスクに及ぼされるので、女性の鼻及び口の周囲の口紅やファンデーション等の化粧品材料がマスクに接触するため、使用が不便である。
【０００７】
また、冬に眼鏡をかける場合、眼鏡をかけている間に鼻筋によってオープンスペースが生まれ、それにより、眼鏡が曇ることがある。
【０００８】
したがって、比較的小さな力がマスクに及ぼされても、３次元型カバーの外向き形状を維持することができ、冬に眼鏡をかける場合に眼鏡にくもりが生じないマスクが必要とされてきた。
【発明の開示】
【発明が解決しようとする課題】
【０００９】
したがって、本発明の目的は、収容スペースが３次元型カバーを通して形成され、固定サポータが３次元型カバーのエッジに挿入されて、マスクが装着者の鼻及び口に密着することによって容易に汚染されないようにし、それにより、風や物理的な接触等の比較的小さな力が及ぼされても３次元型カバーの外向き形状を保持することができるマスクを提供することである。
【課題を解決するための手段】
【００１０】
目的を達成するために、本発明は、固定サポータを有するマスクであって、装着者の鼻及び口を挿入するための所定サイズの貫通部１１を中央に有する本体１０と、本体１０に結合され、前記貫通部１１から所定の距離だけ隔てられた３次元型カバー２０であって、貫通部内に挿入された装着者の鼻及び口が包まれるように３次元型カバー２０の下部に形成される、外部と間接的に通気するための開口部２２を有する３次元型カバー２０と、本体１０の両端部に結合される、マスク１００を装着者の耳に装着するための耳掛け３０と、装着者の鼻及び口が３次元型カバーの内側に密着しないように、３次元型カバー２０の周囲にある縫合部に沿って挿入される固定サポータ４０とを備える固定サポータを有するマスクを提供する。
【００１１】
好ましくは、固定サポータ４０は、３次元型カバー２０の下端部及びサイドに対応するように「Ｕ」形の形である
【００１２】
好ましくは、本体１０の上端部に挿入される固定サポータ４０は、鼻筋に対応して密着するように「−」形の形である。
【００１３】
好ましくは、３次元型カバー２０は、正面に向かって突出するようにそのサイドの縫合部に沿って縫合される複数の折り畳み部２１をさらに備える。
【００１４】
好ましくは、固定サポータ４０は、非鉄金属で作られるコア４１と、コア４１にコーティングされるシリコン４２とを備える。
【００１５】
好ましくは、固定サポータ４０は、非鉄金属で作られる円形コア４１と、接触エリアを増大させるためにコア４１にコーティングされた接触ウィングを有する棒形状のシリコン４２とを備える。
【００１６】
上述のように、固定サポータを有するマスクによれば、収容スペースが３次元型カバーによって形成され、固定サポータが３次元型カバーのエッジに挿入されて、マスクが装着者の鼻及び口に密着することによって容易に汚染されることを防ぎ、それにより、風や物理的な接触等の比較的小さな力が及ぼされても、３次元型カバーの外向き形状を維持することができる。
【００１７】
したがって、女性の鼻及び口の周囲の口紅やファンデーション等の化粧品が、風や物理的な接触等の比較的小さな力がマスクに及ぼされた場合にマスクに接触したとしても、マスクが容易に汚染されることを防ぐことができる。
【００１８】
さらに、冬に眼鏡をかける場合、眼鏡をかけている間に鼻筋によってオープンスペースができず、それにより、眼鏡にくもりが生じない。
【発明を実施するための最良の形態】
【００１９】
本発明の好ましい実施形態について添付図面を参照して以下において詳細に説明する。
【００２０】
図１は、本発明による固定サポータを有するマスクを示す第１の斜視図であり、図２は、本発明による固定サポータを有するマスクを示す第２の斜視図であり、図３は図２の分解斜視図であり、図４は図２の背面図であり、図５は、図２の本体及び３次元型カバーから抜き出した本発明の第１の実施形態による固定サポータを示す斜視図であり、図６は、図２の本体及び３次元型カバーから抜き出した本発明の第２の実施形態による固定サポータを示す斜視図であり、図７は、本発明による固定サポータを有するマスクの使用状況を示す斜視図である。
【００２１】
図１〜図７に示すように、本発明は、収容スペースが３次元型カバー２０を通して形成される固定サポータを有するマスクに関し、固定サポータ４０は、３次元型カバー２０のエッジ内に挿入されて、マスク１００が装着者の鼻及び口に密接して容易に汚染されることを防ぎ、それにより、風や物理的な接触等の比較的小さな力がマスクに及ぼされても、３次元型カバー２０の外向き形状を維持することができる。
【００２２】
本発明によるマスク１００は、装着者の鼻及び口を挿入するために中央に所定サイズの貫通部１１を有する本体１０と、正面に向けて突出するようにサイドの縫合部に沿って縫われた複数の折り畳み部２１及び間接的に外部と通気するために、貫通部１１に挿入された装着者の鼻及び口が包まれるように下部に形成される開口部２２を有する３次元型カバー２０と、本体１０の両端部に結合された、マスク１００を耳に装着するための耳掛け３０とを含む。
【００２３】
本明細書では、本体１０は、冷気又は埃から保護することができるように、装着者の顔の下部をカバーする。好ましくは、本体１０の材料は、埃等から保護するために超極細繊維であることができる。
【００２４】
また、本体は装着者の皮膚に直接接触するため、その材料は柔らかく軽いことが好ましい。
【００２５】
さらに、貫通部１１は、装着者の鼻及び口が中に挿入されて呼吸するように、本体１０の中央に形成される。本明細書では、貫通部１１の幅は、口の位置に適合し、呼吸が容易になるように、その上部から下部に向かって徐々に広がる。
【００２６】
一方で、マスク１００を耳に装着するための耳掛け３０が、本体１０の両端部に接続される。
【００２７】
さらに、３次元型カバー２０が、本体１０の貫通部１１の前表面を縫い合わせる。３次元型カバー２０は、装着者の鼻及び口に密接することなく装着者の鼻及び口を取り込むために、縫合部に沿って形成された複数の折り畳み部２１を含む。
【００２８】
３次元型カバー２０の複数の折り畳み部２１は、３次元型カバー２０が側面から見て３次元で突出するように、貫通部１１に隣接する周囲に沿って縫合される。
【００２９】
本明細書では、３次元型カバー２０の複数の折り畳み部２１は、その幅方向に沿って「Ｚ」形状の形に折り畳まれながら縫合される。
【００３０】
したがって、貫通部１１に挿入された装着者の鼻及び口が、３次元型カバー２０の内側に一定間隔で取り込まれる。
【００３１】
貫通部１１内に挿入された装着者の鼻及び口は、３次元型カバー２０の内側に一定間隔で取り込まれるため、マスク１００が、呼吸している間に放出される水分によって汚染され濡れないようにすることができる。
【００３２】
また、開口部２２が、外部と間接的に通気するように、３次元型カバー２０の下部に形成される。
【００３３】
一方で、固定サポータ４０が、収容スペースが形成され、それにより、装着者の鼻及び口が３次元型カバー２０の内側に密着しないように、３次元型カバー２０に挿入される。
【００３４】
固定サポータ４０は、３次元型カバー２０の周囲にある縫合部に沿って挿入される。ここで、固定サポータ４０は、３次元型カバー２０の下端部及びサイドに対応するために「Ｕ」形である。
【００３５】
したがって、３次元型カバー２０によって形成される収容スペースは、外部の力が及ぼされたとしても変形せず、それにより、３次元型カバー２０の外向き形状を元の状態に維持することができる。
【００３６】
すなわち、３次元型カバー２０のエッジは固定サポータ４０により安定して支持されるため、３次元型カバー２０の前が繊維材料で作られた場合でも、その外向き形状が比較的小さな力に対して保持される。
【００３７】
したがって、比較的小さな力が３次元型カバー２０に及ぼされても、その外向き形状を維持することができるため、風や物理的な接触に起因して口及び鼻に接触することにより化粧品からの油分又は皮膚等の外部物質がマスク１００に接しないようにすることができる。
【００３８】
固定サポータ４０は、３次元型カバー２０に加えて本体１０の上端部に挿入される。
【００３９】
本体１０の上端部に挿入される固定サポータ４０は、鼻筋に対応し、密接するように「−」形である。
【００４０】
したがって、冬に眼鏡をかける場合、眼鏡を掛ける間に鼻筋又は鼻のラインによって生み出されるオープンスペースを防ぐことができ、それにより、眼鏡が曇らないようにすることができる。
【００４１】
すなわち、マスク１００の上端部の両側にできるオープンスペースを最小に抑えるために、固定サポータ４０を、鼻筋又は鼻のラインの形に対応して曲げることができる。
【００４２】
図５に示すように、本発明の第１の実施形態としての固定サポータ４０は、非鉄金属で作られたコア４１及びコア４１にコーティングされたシリコン４２を含む。
【００４３】
コア４１は非鉄金属で作られるため、酸化したコア４１が人体に取り込まれることを防ぐことができる。ここで、固定サポータ４０の材料が、非鉄金属の中でも特にアルミニウム合金であることが好ましい。
【００４４】
シリコン４２は、人体がポール形のコア４１によりダメージを受けるのを防ぐように機能する。また、シリコン４２は、コアが捻れないように、又はその疲労強度により破損するのを防ぐように機能する。
【００４５】
一方で、図６に示すように、本発明の第２の実施形態としての固定サポータ４０は、非鉄金属で作られる円形コア４１及びコア４１にコーティングされて接触エリアを増大させる接触ウィングを有する棒形のシリコン４２を含む。
【００４６】
ここで、本発明の第２の実施形態としての固定サポータ４０は、垂直に挿入されるか、又は水平に配置される。
【００４７】
本発明について特定の例示的な実施形態を参照して説明したが、実施形態によって制限されるべきではなく、添付の特許請求の範囲によってのみ制限されるべきである。当業者は、本発明の範囲及び精神から逸脱することなく、実施形態を変更又は修正できることを理解されたい。
【図面の簡単な説明】
【００４８】
上記並びに他の本発明の目的、特徴、及び利点は、添付図面に関連する以下の詳細な説明からより明白になるであろう。
【００４９】
【図１】本発明による固定サポータを有するマスクを示す第１の斜視図である。
【００５０】
【図２】本発明による固定サポータを有するマスクを示す第２の斜視図である。
【００５１】
【図３】図２の分解斜視図である。
【００５２】
【図４】図２の背面図である。
【００５３】
【図５】図２の本体及び３次元型カバーから抜き出された本発明の第１の実施形態による固定サポータを示す斜視図である。
【００５４】
【図６】図２の本体及び３次元型カバーから抜き出された本発明の第２の実施形態による固定サポータを示す斜視図である。
【００５５】
【図７】本発明による固定サポータを有するマスクの使用状況を示す斜視図である。
【符号の説明】
【００５６】
１０本体
１１貫通部
２０３次元型カバー
２１折り畳み部
２２開口部
３０耳掛け
４０固定サポータ
４１コア
４２シリコン
１００マスク
【図１】
2009526560.tif 000002
【図２】
2009526560.tif 000003
【図３】
2009526560.tif 000004
【図４】
2009526560.tif 000005
【図５】
2009526560.tif 000006
【図６】
2009526560.tif 000007
【図７】
2009526560.tif 000008
【国際調査報告】
2009526560.tif 000009
2009526560.tif 000010